(57)【要約】【課題】従来にない新しいタイプのものであり、障害者のみではなく健常者も同時に、且つ安全に使用することができる略長円形型の便座構造を提供する。【解決手段】便座３の構造は、上面視で略長円形型の形状を有する便器２の上面に装着される便座の構造であって、上面視で略長円形型の中央部に開口部３１ａが形成されて環状となる便座本体３１と、便座本体３１の開口部３１ａの内側面側に摺動可能に嵌合されて、便座本体３１の前後方向に沿って往復可能にスライド移動するスライド部３２と、スライド部３２の上に連結されて、その上面に臀部が載置可能な皿形状の座部３３と、とを備える。この構成により、従来にない新しいタイプのものであり、障害者のみではなく健常者も同時に、且つ安全に使用することができる略長円形型の便座３を有した便座構造となる。【選択図】図４
2019201747.tif 000002
【特許請求の範囲】
【請求項１】
上面視で略長円形型の形状を有する便器の上面に装着される便座の構造であって、
上面視で略長円形型の中央部に開口部が形成されて環状となる便座本体と、
前記便座本体の前記開口部の内側面側に摺動可能に嵌合されて、前記便座本体の前後方向に沿って往復可能にスライド移動するスライド部と、
前記スライド部の上に連結されて、その上面に臀部が載置可能な皿形状の座部と、を備える、ことを特徴とする便座構造。
【請求項２】
前記便座本体は、前後方向に伸びる右側板部と、左側板部と、前記右側板部及び前記左側板部を接続するために湾曲した前側湾曲板部と、後側湾曲板部とが一体連結することで、前記環状を構成し、
前記スライド部は、少なくとも上面視で略凸字形状の板状部材を有し、
前記便座本体の右側板部、左側板部、及び後側湾曲板部の前記開口部の内側面側には、前記スライド部の板状部材が摺動可能に嵌合する垂直断面でコの字形状となる溝部が形成されており、
前記右側板部、前記左側板部に形成された前記溝部に沿って前記スライド部の板状部材が移動することで、前記座部が前記便座本体の前後方向に沿って往復可能にスライド移動する、ことを特徴とする請求項１記載の便座構造。
【請求項３】
前記便座本体の溝部の内側面には、その延伸方向に沿って補強材が配設される、ことを特徴とする請求項２記載の便座構造。
【請求項４】
前記スライド部は、さらに、前記板状部材上において、前記座部の底面を載置する載置台を備える、ことを特徴とする請求項２又は３に記載の便座構造。
【請求項５】
前記後側湾曲板部は、前記載置台がスライド移動するために、前記溝部から垂直方向に切り欠かれた切欠き面を有する、ことを特徴とする請求項４記載の便座構造。
【請求項６】
前記座部は、
利用者の荷重を受けるため補強材で形成された外枠部と、
当該外枠部の内側の臀部との接触面たる便座面に用いる柔らかな樹脂材と、を備える、ことを特徴とする請求項１乃至５のいずれか一項に記載の便座構造。
【請求項７】
前記外枠部は金属材であり、
前記樹脂材はウレタン樹脂又はシリコン樹脂である、ことを特徴とする請求項６記載の便座構造。
【請求項８】
前記座部の底面側には、前記スライド部のスライド移動時において、前記便座本体との間の車輪として機能する対となる車輪部が備わる、ことを特徴とする請求項１乃至７のいずれか一項に記載の便座構造。
【請求項９】
前記座部は、その背面側において、利用者が寄りかかることができるように立設された背もたれ部をさらに備え、当該背もたれ部の高さは、手動又は自動で調節できる、ことを特徴とする請求項６乃至８のいずれか一項に記載の便座構造。
【請求項１０】
前記請求項１乃至９のいずれか一項に記載の便座構造を備える、ことを特徴とするトイレ装置。
【請求項１１】
前記トイレ装置は、さらに、
利用者からの操作入力を受けるリモコン装置と、
前記スライド部の位置を自動変更するスライド位置変更手段と、を備えることを特徴とする請求項１０記載のトイレ装置。
【請求項１２】
前記トイレ装置は、さらに、
所定以上の長さを有して微温湯を出すシャワー部を備え、
当該シャワー部からはさらに乾燥風が出るように構成される、ことを特徴とする請求項１０又は１１に記載のトイレ装置。
【請求項１３】
前記トイレ装置は、さらに、
前記便座構造の利用者の尿の量を検出する尿量検出手段と、
利用者の尿の色を検出する尿色検出手段と、を備えることを特徴とする請求項１０乃至１２のいずれか一項に記載のトイレ装置。
【発明の詳細な説明】
【技術分野】
【０００１】
本発明は、新たな便座構造、及び当該便座構造を備えるトイレ装置に関し、特に、身体障害者及び健常者が共に安全に使用することができる便座構造、及び当該便座構造を備えるトイレ装置に関する。
【背景技術】
【０００２】
病気や交通事故等によって脊髄や頚髄が損傷する事により、下半身麻痺、手足の痛みや温度を感じられなくなる後遺障害を有する障害者が多くいる。また、先天的に下半身の機能に障害を持った者もいる。このような損傷を持った障害者が生活を送る上で困難が生じることの１つに排尿・排便が挙げられる。脊髄損傷者や頚髄損傷者などの障害者は手足が不自由になるだけでなく、尿意や便意を催す事がなくなるなどの排泄機能にも障害を持つこともある。例えば、脊髄損傷者においては、排尿は数時間に１回、排便は数日に１回というようにスケジュールを組まなければならないものが多くいる。
【０００３】
このような脊髄損傷者や頚髄損傷者などの障害者の中には通常のトイレを使用することができず、障害者専用トイレの使用が必要な人も多い。
【０００４】
障害者専用トイレとして、例えば、図１２（ａ）に示すトイレは、高床式トイレ１０と呼ばれていて車椅子が必要な障害者に使用されている（例えば、非特許文献１など参照）。この高床式トイレの構造は、図１２（ａ）に示すように、車椅子と同じ高さの板張りの平面な台１０ａに便器１０ｂが埋め込んである。また、利用者の尻部を傷つけないように平面な台の上には柔らかいマットが敷かれ、寄りかかることができる背もたれと手すりも設置してある場合が多い。そして、高床式トイレへの移乗の方法を説明すると、（１）最初、車椅子を板張り平面台に向かって直角につける。そして、（２）両足を台の上に乗せて長座位（足を延ばして座った状態）で、便器まで移動する。その後、ベッド上での排便などを行う。
【０００５】
その他の障害者専用トイレとして、図１２（ｂ）に示すように、前方移動型トイレ１１（小判型トイレや長便座とも呼ぶ）がある。便座の真向かいに車椅子をつけて、前方（往復）移乗ができる障害者はこの前方移動型トイレ１１に乗り移りが可能となる。この前方移動型トイレ１１の前方（往復）移乗の方法を説明すると、（１）最初に、車椅子を便座に真向かいにつけ、（２）足は便座をまたぐように置き、（３）両手で車椅子トイレの手すりを持ち、前方に移動して使用する。また、ズボンやパンツの着脱方法は車椅子の左右の手すりなどに寄りかかり、お尻の浮いた方の衣類をずらし、これを右左と何度も繰り返すことにより行う。具体的には、本願発明者は脊髄損傷による下半身麻痺の障害を有しており、下半身の衣類を全て身に着けようとすると、約２０回程度左右への動作が必要な場合があり、このような衣類の着脱作業だけでも障害者にとっては多大な時間及び労力を要する。
【０００６】
さらに、その他の障害者専用トイレとしては、図１３に示すような便座に後ろ向きに腰を掛ける車椅子トイレ１２と呼ばれるタイプもある。この車椅子トイレに対する横（側方）移乗の方法としては、図１３（ａ）に示すように、（１）最初に、車椅子トイレの片方の手すりを持ち上げ、車椅子を便座にやや斜めになるように横付けし、（２）足を床に下ろし、踵は便座方向に向け、（３）お尻を車椅子の前方に移動します。次に、図１３（ｂ）に示すように、（４）挙上していない車椅子トイレの手すりを掴み、もう一方の手は便座に遠い方の車椅子の手すりを掴み、（５）両手に力を入れ、お尻を車椅子から便座へ移動する。そして、（６）足の位置を正し、（７）車椅子を便座の前に移動する。なお、この車椅子トイレに前方（往復）移乗して使用する際の方法は、上述の前方移動式トイレの場合と同様となる。
【０００７】
その他、いわゆる障害者用のトイレ装置としては、例えば、お尻を押し上げ補助するために便座を上下させる動力部を備えた便座自動押し上げ装置が開示されている（例えば、特許文献１参照）。さらに、足腰の弱った身体障害者や老人などが極めて容易且つ安全に便器上に腰掛けたり立ち上がったりすることができる便座昇降装置も開示されている（例えば、特許文献２参照）。
【先行技術文献】
【特許文献】
【０００８】
【特許文献１】特開２００５−２６１８９１号公報
【特許文献２】特開平８−２１５１０６号公報
【非特許文献】
【０００９】
【非特許文献１】“脊髄障害の排泄マニュアル”[平成30月4月30日検索]、インターネット＜ＵＲＬ：http://www.rehab.go.jp/whoclbc/japanese/pdf/J29.pdf＞
【発明の概要】
【発明が解決しようとする課題】
【００１０】
上述のような高床式トイレ、移動式トイレや車椅子トイレなどの障害者専用トイレは、脊髄損傷者や頚髄損傷者などの障害者にとっては非常に有益で有難いものである。というのも、下半身麻痺などを有する障害者は、排尿排便障害によって便秘や便失禁、下痢などがあると不安がつきまとい行動範囲も制限されるためである。
【００１１】
しかしながら、現実には、街中や宿泊施設などにあるトイレ装置は、便座に後ろ向きになって腰を掛ける健常者用のトイレ装置がほとんどであり、上記のような障害者用トイレは街中や宿泊施設には設置が難しいためなのかほとんど見られない。結果として、排尿排便障害を抱えている障害者は、排便のスケジュールのために旅行や出張などの長期の遠出をすることができず、社会参加が限定されてしまっているというのが現状である。
【００１２】
下半身完全麻痺の本願発明者の経験談として、障害者トイレがあると記載されている施設や、障害者トイレはあると確認を取ったホテルでさえ、障害者が満足に使用できない場合（例えば介助バーが一方しかない、介助バーが１ｍ以上も離れているなど）もある。
【００１３】
そして、特に、上述した前方移乗ができる前方移動型トイレに関しては、近年急速に失われつつある傾向がある。発明者は実際に、東京における約３０か所の交通機関（例えば成田空港、羽田空港、関越道、新幹線内のトイレ）、医療機関（例えば群馬大学病院、日本赤十字病院）、宿泊施設（例えば帝国ホテル）、世界遺産の富岡製糸場、デパート（例えば三越デパート銀座店、高島屋）、群馬県庁、及び霞が関の国土交通省などのトイレを検証した。この結果、前方移動型トイレを発見できたのは１か所のみであり、以前、前方移動型トイレを備えていた施設でさえ、前方移動型トイレはスタイルが古いなどのため、改築で前方移動型トイレを廃止していた。
【００１４】
その結果、特に、前方移動型トイレを必要とする障害者は、使用できるトイレ施設が非常に限定されてしまい、外出時にはトイレが無いために、旅行や長期の出張は不可能となり、トイレが原因で社会参加の機会を失っている。
【００１５】
また、近年、企業においては、より豪華に、よりスタイリッシュにボリューム感たっぷりで創ることにより増収とすることに重きが置かれている傾向がある。具体的には、（１）ウォシュレット（登録商標）関連の操作盤が便座に一体化されたもの、（２）便座が非常に小さいもの、（３）より豪華さやスタイリッシュ性を追求しているもの、（４）節水効果で商品価値を上げるようにしているものなどがある。
【００１６】
このような状況下において、排尿排便障害を抱えている障害者にとっては、外出時にゆっくりできるトイレ施設が徐々になくなっているのが現状である。
【００１７】
具体的には、街中にあるトイレ装置のそのほとんどが、下半身麻痺などの障害者にとっては、（１）一人では安全に便座に移乗できないもの、（２）便座に移乗するのに時間を要するもの、（３）便座があり、両サイドに介助バーが付いていても、前方から便座に移乗することができないもの、或いは横幅の無い狭いトイレでは洋式便座に前向きに座わるしかないもの、（４）便座が小さすぎるなど移乗すらできないもの、（５）介助バーの高さが高すぎたり、便器からの位置が離れすぎているもの、などに該当する。
【００１８】
このように、障害者が外出時に使用できる障害者用トイレは徐々に姿を消しており、２０２０年に東京オリンピック・パラリンピックを迎える現在において、ハンディのある障害者の意見を取り入れて公共の場にトイレを設置する必要があることは疑う余地もない。
【００１９】
本発明は、上記課題に鑑みてなされたものであり、排尿排便障害を抱えた障害者が、外出先でも安心して使用できるトイレ装置を普及すべく、障害者のみではなく健常者も同時に、且つ安全に使用することができる略長円形型の便座構造を提供することを目的とする。また、この便座構造を備えたトイレ装置をも提供することを目的とする。
【課題を解決するための手段】
【００２０】
上記課題を解決するため、本発明は、上面視で略長円形型の形状を有する便器の上面に装着される便座の構造であって、上面視で略長円形型の中央部に開口部が形成されて環状となる便座本体と、前記便座本体の前記開口部の内側面側に摺動可能に嵌合されて、前記便座本体の前後方向に沿って往復可能にスライド移動するスライド部と、前記スライド部の上に連結されて、その上面に臀部が載置可能な皿形状の座部と、を備えることを特徴とする便座構造である。
【００２１】
この便座構造は、前記便座本体は、前後方向に伸びる右側板部と、左側板部と、前記右側板部及び前記左側板部を接続するために湾曲した前側湾曲板部と、後側湾曲板部とが一体連結することで、前記環状を構成し、前記スライド部は、少なくとも上面視で略凸字形状の板状部材を有し、前記便座本体の右側板部、左側板部、及び後側湾曲板部の前記開口部の内側面側には、前記スライド部の板状部材が摺動可能に嵌合する垂直断面でコの字形状となる溝部が形成されており、前記右側板部、前記左側板部に形成された前記溝部に沿って前記スライド部の板状部材が移動することで、前記座部が前記便座本体の前後方向に沿って往復可能にスライド移動することが好ましい。
【００２２】
この便座構造において、前記便座本体の溝部の内側面には、その延伸方向に沿って補強材が配設されることが好ましい。
【００２３】
この便座構造において、前記スライド部は、さらに、前記板状部材上において、前記座部の底面を載置する載置台を備えることが好ましい。
【００２４】
この便座構造において、 前記後側湾曲板部は、前記載置台がスライド移動するために、前記溝部から垂直方向に切り欠かれた切欠き面を有することが好ましい。
【００２５】
この便座構造は、前記座部は、利用者の荷重を受けるため補強材で形成された外枠部と、当該外枠部の内側の臀部との接触面たる便座面に用いる柔らかな樹脂材と、を備えることが好ましい。
【００２６】
この便座構造において、前記外枠部は金属材であり、前記樹脂材はウレタン樹脂又はシリコン樹脂であることが好ましい。
【００２７】
この便座構造において、前記座部の底面側には、前記スライド部のスライド移動時において、前記便座本体との間の車輪として機能する対となる車輪部が備わることが好ましい。
【００２８】
この便座構造において、前記座部は、その背面側において、利用者が寄りかかることができるように立設された背もたれ部をさらに備え、当該背もたれ部の高さは、手動又は自動で調節できることが好ましい。
【００２９】
上記課題を解決するため、本発明は、上記記載の便座構造を備える、ことを特徴とするトイレ装置である。
【００３０】
このトイレ装置において、前記トイレ装置は、さらに、利用者からの操作入力を受けるリモコン装置と、前記スライド部の位置を自動変更するスライド位置変更手段と、を備えることが好ましい。
【００３１】
このトイレ装置において、前記トイレ装置は、さらに、所定以上の長さを有して微温湯を出すシャワー部を備え、当該シャワー部からはさらに乾燥風が出るように構成されることが好ましい。
【００３２】
このトイレ装置において、前記トイレ装置は、さらに、前記便座構造の利用者の尿の量を検出する尿量検出手段と、利用者の尿の色を検出する尿色検出手段と、を備えることが好ましい。
【発明の効果】
【００３３】
本発明は、上面視で略長円形型の形状を有する便器の上面に装着される便座の構造である。当該便座構造は、上面視で略長円形型の中央部に開口部が形成されて環状となる便座本体と、前記便座本体の前記開口部の内側面側に摺動可能に嵌合されて、前記便座本体の前後方向に沿って往復可能にスライド移動するスライド部と、前記スライド部の上に連結されて、その上面に臀部が載置可能な皿形状の座部と、を備える。この構成により、本願発明は、従来にない新しいタイプのものであり、障害者のみではなく健常者も同時に、且つ安全に使用することができる略長円形型の便座構造となる。
【図面の簡単な説明】
【００３４】
【図１】本発明の実施の形態に係る便座構造を備えるトイレ装置の斜視図である。
【図２】同上トイレ装置の側面図である。
【図３】同上トイレ装置のリモコン装置の操作面の一例を示す図である。
【図４】（ａ）同上便座構造の分解斜視図、（ｂ）同上便座構造の斜視図である。
【図５】（ａ）同上トイレ装置の便器の上面図、（ｂ）同上便座の上面図である。
【図６】（ａ）同上便座に備わるスライド部の移動を説明する図、（ｂ）同上便座のＡ−Ａ線断面図である。
【図７】（ａ）同上便座に備わる座部の移動を説明する図、（ｂ）同上便座のＢ−Ｂ線断面図である。
【図８】（ａ）同上便座に備わるスライド部の上面図、（ｂ）同上座部の上面図、（ｃ）同上座部の側面図である。
【図９】（ａ）及び（ｂ）同上便座の利用手順を説明する図である。
【図１０】同上実施の形態の変形例１に係る便座構造に備わる座部の説明図である。
【図１１】同上実施の形態の変形例２に係る便座構造に備わる座部の説明図である。
【図１２】（ａ）従来の高床式トイレの説明図、（ｂ）従来の前方移動型トイレの説明図である。
【図１３】（ａ）及び（ｂ）従来の車椅子トイレの説明図である。
【発明を実施するための形態】
【００３５】
本発明の実施の形態に係る便座構造、及び当該便座構造を備えるトイレ装置について図面を参照して説明する。本実施の形態に係る便座構造は、（１）便器正面からの前方（往復）移乗が必要な障害者、（２）洋式便座に後ろ向きで腰を掛けたい障害者、（３）洋式便座に後ろ向きに腰を掛ける健常者が同時に使用することができることを特徴としている。
【００３６】
最初に、本実施の形態に係る便座構造を備えるトイレ装置に関して図１及び図２を参照して説明する。このトイレ装置１は、便器２、当該便座構造を有する便座３、貯水タンク４、シャワー部５、リモコン装置６、及び介助バー７を備えている。
【００３７】
便器２は、例えばトイレ装置１の中央の床面上に設置され、上面視で略長円形型（小判型）の形状を有し、上面が楕円形状に開口した洋式の便器である。便座３は、用便時に人を着座させる着座シートであり、用便時には便器２の上面に装着される。便座３は、その後端が便器２に回動可能に支持されている。本実施の形態に係るトイレ装置１では、図２のＸに示すように、床面から便座上面までの高さは、例えば４０ｃｍである。また、便座３の裏面側にクッション材としてのゴムＧを設けても構わない。
【００３８】
貯水タンク４は、便器２に流す給水用の水や手洗い用の水を貯水するタンクであり、通常、便器２の背面側に設置され、水洗用配管（図示せず）などを介して便器２内と接続されている。
【００３９】
シャワー部５は、例えば８０ｃｍ程度の長さを有し、利用者が用便後において洗浄用水（微温湯）などを局部に噴射して洗浄を行えるようにすると共に、乾燥温風を供給して局部などの乾燥処理を行う際に用いる。現在使用されている一般的な局部洗浄装置は、障害者にとっては非常に使い勝手が悪い（例えば、洗浄位置が固定されている、局部しか洗浄できない、熱湯が出ていても麻痺の場合には気が付かずに最悪の場合には火傷を負ってしまうなど）というのが現実である。そこで、このシャワー部５を備えることで、特に障害者にとっては任意に局部や長期間車椅子に座ることを要する障害者特有の局部以外（おしりなど）の洗浄を行うことができて非常に便利であり、また、乾燥処理（失禁処理）も行えて非常に有用となる。このような障害者の不便は往々に理解されていない場合が多く、洗浄・乾燥処理を行えるシャワー部５を備えるトイレ装置１が施設にあるということが、障害者の外出行動を促すことの一助になることは疑いようがない事実である。
【００４０】
リモコン装置６は、トイレ装置１の壁面などに設置され、図３に示すようなトイレ使用時に必要となる各種機能を利用者が選択するための液晶などの操作画面６ａを有する。この操作画面６ａには、例えば、便座３のスライド部の位置を調整するための便座前方移動ボタン６１、便座後方移動ボタン６２、使用者の尿量を検出する尿計量ボタン６３、尿の色を検出する尿色チェックボタン６４、シャワー部５のハンディホースお湯ボタン６５、ハンディホース風ボタン６６、肛門を洗浄するためのお尻ボタン６７、及びその他の落語、音楽や英語を聴くためのボタン６８などを備える。また、音声案内オン／オフボタン６９なども付けることができる。なお、この操作画面６ａは一例であり、リモコン装置６が提供する各種機能を限定するものではない。
【００４１】
リモコン装置６は、利用者からの外部操作入力を受けると当該入力指示に基づく入力信号をマイコンなどで演算処理して操作信号に変換し、当該操作信号に基づいて出力処理を行い、各制御部（便座３やシャワー部５）を制御する。本実施の形態においては、リモコン装置６は、操作入力に基づいて、便座３のスライド部の位置を自動変更するスライド位置変更手段（便座前方移動ボタン６１及び便座後方移動ボタン６２）を備えることを特徴としている。
【００４２】
便器２は、リモコン装置６の尿計量ボタン６３の機能を実現するため、尿が溜まった後に尿量を検出する流量センサ（尿量検出手段）を備えても良い。流量センサは、液体が単位時間に流れる量を検出するセンサであり、検出方式は、体積で検出する体積流量方式と、質量で検出する質量流量方式などを用いる。また、便器２は、尿色チェックボタン６４の機能を実現するために尿の色を検出する色判別センサ（尿色検出手段）を備えても良い。色判別センサは、例えばフォトダイオードなどを用いてRGBに基づいて可視光を検出できるセンサである。これらの機能を便器２が備えることにより、尿計量ボタン６２及び尿色検出ボタン６３の機能を実現でき、日頃から摂取する水分量の管理を要求される障害者にとっては健康面をチェックできて非常に有用である。ボタン６８の機能はリモコン装置６が送受信部、メモリ部、及び再生処理部などを備えることで実現できる。
【００４３】
介助バー７は、例えばトイレ装置１の便器２の左右の両側に配置され、障害者などが身体を、上半身を用いて自力で支持して、車椅子から便座３へ誘導するための補助バーである。介助バー７は便座３の少なくとも前方端に対応する位置までは延出していることが好ましく、途中で屈曲できるような構造を有しても良い。また、図１に示すように床面から立設されても良いし、壁面に設けられたＵ字形状のバーでも良い。また、介助バー７の高さや位置は調整可能である方が好ましい。
【００４４】
次に、本実施の形態に係る便座３の便座構造に関して図４乃至図８を参照しながら説明する。便座３は、図４に示すように、便座本体３１と、スライド部３２と、座部３３とを備える。
【００４５】
便座本体３１は、図４（ａ）に示すように、上面視で略長円形型の中央部に開口部３１ａが形成されて環状となる。スライド部３２は、便座本体３１の開口部３１ａの内側面側に摺動可能に嵌合されて、便座本体３１の前後方向に沿って往復可能にスライド移動する。座部３３は、スライド部３２の上に連結されて、その上面に臀部が載置可能な皿形状を有する。また、スライド部３２は、少なくとも上面視で略凸字形状の板状部材３２ａを有している。
【００４６】
ここで、サイズに関して記載すると、図５（ａ）に示す便器２は、例えば前後幅６３ｃｍ、左右幅３０ｃｍであり、図５（ｂ）に示す便座本体３１は、例えば前後幅５４ｃｍ、左右幅３４ｃｍ、環状幅８ｃｍ、厚み４ｃｍである。
【００４７】
ここで、スライド部３２のスライド範囲に関して説明する。図６（ａ）に示すように、スライド部３２は。例えば便座３の前端より後方１２ｃｍ（図中のＹ）の位置から４４ｃｍ（図中のＺ）の位置まで往復可能にスライド移動する。これは、１２ｃｍの幅があれば後ろ向きに座る障害者などの臀部が便器２の内部に落ちないためである。
【００４８】
便座本体３１は、図６（ａ）に示すように、前後方向に伸びる右側板部３１ｂと、左側板部３１ｃと、右側板部３１ｂ及び左側板部３１ｃを接続するために湾曲した前側湾曲板部３１ｄと、後側湾曲板部３１ｅとが一体連結することで、環状を構成している。
【００４９】
そして、図６（ｂ）に示すように、便座本体３１の右側板部３１ｂ、左側板部３１ｃ、及び後側湾曲板部３１ｅの開口部３１ａの内側面側には、スライド部３２の板状部材３２ａが摺動可能に嵌合する垂直断面でコの字形状となる溝部３１ｆが形成されている。スライド部３２の板状部材３２ａは、右側板部３１ｂ、左側板部３１ｃに形成された溝部３１ｆに沿って移動することで、座部３３が便座本体３１の前後方向に沿って往復可能にスライド移動する。後側湾曲板部３１ｅは、後述するスライド部３２の載置台がスライド移動するために、溝部３１ｆから上面まで垂直方向に切り欠かれた切欠き面３１ｇを有する。
【００５０】
ここで、便座本体３１の材質に関して説明すると、ABS樹脂、色の変わりにくいポリプロピレン(PP)樹脂、セラミック樹脂、陶器製などが用いられる。ＰＰ樹脂は表面が非常にやわらかく、キズがつきやすい材質のために金属で表面に塗装をして、キズをつきにくくすることがよい。
【００５１】
便座本体３１のコの字形状の溝部３１ｆの内側面には、図５（ｂ）の断面図に示すように、その延伸方向に沿って補強材３１ｈが配設される。この補強材３１ｈは、ステンレス、チタンなどの金属材であり、例えば、便座本体３１の厚みを４ｃｍとすると、溝部３１ｆの厚みは１ｃｍとなり、その表面側には各０．５ｃｍの厚みのステンレスなどの補強材３１ｈが表面に被覆されている。
【００５２】
便座本体３１は、手動でその位置をスライド移動する構成でも良いし、位置検出により自動でその位置をスライド移動する構成でも良い。本実施の形態では、自動で位置を検出してスライド（スライド位置検出手段）するものであり、例えば、スライド部３２の位置検出のために、モータ及びスクリューがスライド部３２に接続され、スライド部３２の移動量を各種の検出器で検出して、A/D 変換器でデジタル信号に変換し、制御装置に位置フィードバック信号として返す。この制御装置はリモコン装置６などからの信号に基づいて、駆動信号を送信することでモータ部を駆動制御させてスライド部３２の位置を正確に決めることができる。なお、スライド部３２の位置検出・位置変更はこれに限定されるものではなく、広く一般に普及している位置検出技術を利用して実現できることは言うまでもない。また、手動で移動させる場合には、座部３３にストッパのような構造を設けて、座部３３の位置をこのストッパで固定できるようにしても良い。
【００５３】
スライド部３２は、さらに、図７に示すように、板状部材３２ａ上において、座部３３の底面が載置される載置台３２ｂを備える。また、座部３３は、利用者の荷重を受けるため補強材で形成された外枠部３３ａと、外枠部３３ａの内側の臀部との接触面たる便座面に用いる柔らかな樹脂材３３ｂとを備える。座部３３の周縁側から内方に向かっては下方に傾斜した傾斜部が形成されていることで、利用者が座りやすくなっている。また、外枠部３３ａは金属材であり、樹脂材３１ｂは利用者の尻部を傷つけないためウレタン樹脂又はシリコン樹脂である。これは、脊髄損傷などは皮膚の感覚が失われているために、皮膚の傷に気づきにくくなる。そして、一旦傷がつくと常に座っている状態であるために直ぐに非常に大きくなり、入院、手術、寝たきりのような状態になる。そのために、便座３の上での傷には健常者よりはよほど気を付けないといけないためである。座部３３が樹脂材３３ｂを備えることで便座３の上での傷の発生を適切に予防することができる。
【００５４】
ここで、座部３３のサイズに関して記載すると、図８（ｂ）に示す座部３３は、例えば前後幅１９ｃｍ、左右幅３３ｃｍであり、上下方向に２ｃｍ湾曲している。
【００５５】
座部３３は、図８（ｂ），（ｃ）に示すように、その背面側において、利用者が寄りかかることができるように立設された背もたれ部３３ｃをさらに備え、背もたれ部３３ｃの高さは、５ｃｍ〜１０ｃｍの範囲で手動又は自動で調節できる。このように背もたれ部３３ｃの高さを調整できることで、前方移動して使用する障害者が、脚を左右に広げる際に背もたれ部３３ｃが脚部の開閉の障害となることを適切に防止して、脚部（両足）を動かしての衣類の着脱を容易化できる。
【００５６】
次に、本実施の形態に係る便座構造を備えるトイレ装置の具体的な利用手順に関して図９を参照しながら説明する。本実施の形態に係る便座３は、（Ａ）骨髄損傷者など便器正面からの前方（往復）移乗が必要な障害者用、（Ｂ）洋式便座に後ろ向きで腰を掛けたい車椅子などの障害者用、（Ｃ）洋式便座に後ろ向きに腰を掛ける健常者用が共に使用することができる。
【００５７】
最初に、（Ａ）のケースに関して説明する。前方（往復）移乗が必要な障害者などの場合、座部３３をリモコン装置６など用いて図９（ａ）に示すように最背面側にスライド移動させる。
【００５８】
そして、利用者の便座３への前方（往復）移乗の方法は、（１）車椅子を便座３に真向かいにつけ、（２）足を便座３にまたぐように置き、（３）両手で車椅子トイレの介助バー７を持ち、前方に移動します。障害者のズボンやパンツの着脱方法は、例えば車椅子の介助バー７に寄りかかり、お尻の浮いた方の衣類をずらしていきます。これを右左に何度か繰り返し行う。その後、用便後には上記と逆の動作を行うことにより、車椅子側に回帰できる。
【００５９】
一般的に、障害者が、車椅子トイレで排便の自立をするためにはトイレへの乗り移りやトイレでの座位保持、衣服の着脱動作の習得が必要となる。また、排便のいきみが行えない場合は、腹部の圧迫やマッサージ、（温水）洗浄便座の洗浄機能による肛門刺激、摘便、座薬の使用などを行うことも必要となる。本実施の形態に係る便座３（長便座）では、便器２が楕円形なので、洋式便器より手を入れやすく、摘便や、坐薬の挿入をしやすいという特徴がある。
【００６０】
次に、（Ｂ）のケースに関して説明する。この場合、座部３３をリモコン装置６などを用いて図９（ｂ）に示すように最前面位置の位置にスライド移動させる。すなわち、障害者は、便座３の腰掛ける部分（座部３３）を可動させて、手前向きにて使用する。
【００６１】
この場合の便座３への横移乗の方法の一例としては、（１）車椅子トイレの片方の手すりを持ち上げ、車椅子を便座３にやや斜めになるように横付けする。（２）足をフットレスト（車椅子の足台）より、床に下ろし、踵は便座方向に向け、（３）臀部を車椅子の前方に移動します。次に（４）挙上していない車椅子トイレの介助バー７を掴み、もう一方の手は便座３に遠い方の車椅子の手すりを掴む（または、車椅子の手すりとお尻の間に手を置く）。そして、（５）両手に力を入れ、臀部を車椅子から便座３へ移動し、（６）足の位置を正し、（７）車椅子を便座３の前に移動する。
【００６２】
最後に、（Ｃ）のケースに関して説明する。この場合、健常者は、座部３３をリモコン装置６など用いて図９（ａ）に示す最背面位置などの位置にスライド移動させておき、通常通りに後ろ向きで用便（排便、排尿）を行うことが可能となる。
【００６３】
以上の説明のように、本実施の形態に係る便座３の構造は、上面視で略長円形型の形状を有する便器２の上面に装着される便座の構造であって、上面視で略長円形型の中央部に開口部が形成されて環状となる便座本体３１と、便座本体３１の開口部３１ａの内側面側に摺動可能に嵌合されて、便座本体３１の前後方向に沿って往復可能にスライド移動するスライド部３２と、スライド部３２の上に連結されて、その上面に臀部が載置可能な皿形状の座部３３と、とを備える。
【００６４】
この構成により、本願発明は、長便座タイプと洋式タイプのデザインをミックスした従来にない新しいタイプのものであり、障害者のみではなく健常者も同時に、且つ安全に使用することができる。
【００６５】
すなわち、脊髄損傷などによる下半身麻痺などで排尿排便障害を抱えた障害者が、外出先でも安心して使用できるトイレ装置を普及すべく、障害者のみではなく健常者も同時に、且つ安全に使用することができる便座３の構造となる。この結果、長便座は身体障害者用のものと思われているが、便座３は両方の構造を併せ持つことで、健常者の方、身体障害者の方の両方が利用可能となり、日本の狭いトイレ空間で、この便座３の構造を提供することに多大な意味がある。
【００６６】
具体的には、本実施の形態に係る便座構造では、自在に座部３３の位置を変更でき、（１）長便座に向かって前向きに腰掛ける人、（２）洋式便座に後ろ向きに腰掛けたい障害者用、（３）洋式便座に後ろ向きに座る健常者が共用することが可能となる。このため、当該便座構造を備えるトイレ装置１を普及することへの障害が非常に低くなり、このような便座構造が普及することで、脊髄損傷者などの障害者が安心して外出先で排泄行為を行うことができるトイレ装置が多くなり、障害者の行動の範囲を拡張できる。
【００６７】
また、公共の場所（住居以外）に健常者及び障害者用の２種類のトイレを設置するスペースがない場合においても、本願発明は１つで２つのタイプを併せ持つタイプであるために、普及し易い。また、障害者にとっては非常に使い勝手に優れた前方移動型トイレが急速に減っていることへの防止策となり得る。
【００６８】
特に、この便座構造（長便座）は、便器が楕円形なので、洋式便器より手を入れやすく、摘便や、坐薬の挿入をしやすいために、障害者にとっては非常に使い勝手に優れ、自己導尿なども楽に行うことができる。また、長便座であるために、小さな便器に比較して、車椅子の介助バーに寄りかかることで衣類の着脱、パットやおむつの交換が非常にし易い。さらに、座部３３の便座面に柔らかな樹脂材３３ｂを用いているため、着衣の着脱時などにおいて臀部の皮膚を傷つけることを適切に防止でき、下半身麻痺などの障害者にとっては非常にありがたいものである。
【００６９】
また、この便座構造（長便座）は、便器が楕円形なので、車椅子を便器２の前方に配置することで、障害者は便座３上で上半身を１８０度倒すことも容易となる。このことは車椅子を要する障害者にとっては非常に大切なことである。というのも、長時間同じ姿勢で車椅子に座っている障害者にとっては、外出場所（トイレ内）で横になれることで、上半身の重みを長期間受けていた下半身、すなわち、座骨、尾骨、臀部の皮膚などを一定時間休めることができる。このことは健常者には理解しにくい点ではあるが、車椅子生活を余儀なくされる障害者にとっては非常に有用な効果となる。
【００７０】
またさらに、トイレ装置１が８０ｃｍもの長さがあり湯や風が出るシャワー部５を備えているために、失禁処理や肛門の洗浄処理が非常に楽であり、乾燥処理も非常に容易となる。
【００７１】
（変形例１）
本実施の形態の変形例１について図１０を参照しながら説明する。本変形例１においては、座部３３の底面と便座本体３１の右側板部３１ｂ及び左側板部３１ｃとの間には、スライド部３２のスライド移動時において車輪として機能する対となる車輪部３３ｄが備わる。この車輪部３３ｄのスライド領域となる便座３には前後方向に延びた溝部３３ｅを設ける。この車輪部３３ｄによって、上記の実施の形態の効果に加えて、バランスを取りながら、座部３３をスムーズに前後方向にスライド移動させることが可能となる。
【００７２】
（変形例２）
本実施の形態の変形例２について図１１を参照しながら説明する。本変形例２においては、便座本体３１のスムーズなスライド移動のために便座本体３１にベアリング部３１ｉを用いている。このベアリング部３１ｉによって、上記の実施の形態の効果に加えて、座部３３を、よりスムーズに前後方向にスライド移動させることが可能となる。
【００７３】
なお、本発明は、上記実施の形態の構成に限られず、発明の趣旨を変更しない範囲で種々の変形が可能である。例えば、便器の高さを、利用者の体のサイズに合わせて自動的に上下方向に制御できるような昇降機能を備えることも考え得る。
【符号の説明】
【００７４】
１  トイレ装置
２  便器
３  便座
４  貯水タンク
５  シャワー部
６  リモコン装置
７  介助バー
３１  便座本体
３１ａ  開口部
３１ｂ  右側板部
３１ｃ  左側板部
３１ｄ  前側湾曲板部
３１ｅ  後側湾曲板部
３１ｆ  溝部
３１ｇ  切欠き面
３１ｈ  補強材
３２  スライド部
３２ａ  板状部材
３２ｂ  載置台
３３  座部
３３ａ  外枠部
３３ｂ  樹脂材
３３ｃ  背もたれ部
３３ｄ  車輪部
３３ｅ  溝部
【図１】
2019201747.tif 000003
【図２】
2019201747.tif 000004
【図３】
2019201747.tif 000005
【図４】
2019201747.tif 000006
【図５】
2019201747.tif 000007
【図６】
2019201747.tif 000008
【図７】
2019201747.tif 000009
【図８】
2019201747.tif 000010
【図９】
2019201747.tif 000011
【図１０】
2019201747.tif 000012
【図１１】
2019201747.tif 000013
【図１２】
2019201747.tif 000014
【図１３】
2019201747.tif 000015
【手続補正書】
【提出日】平成30年8月13日(2018.8.13)
【手続補正１】
【補正対象書類名】特許請求の範囲
【補正対象項目名】全文
【補正方法】変更
【補正の内容】
【特許請求の範囲】
【請求項１】
上面視で略長円形型の形状を有する便器の上面に装着される便座の構造であって、
上面視で略長円形型の中央部に開口部が形成されて環状となる便座本体と、
前記便座本体の前記開口部の内側面側に摺動可能に嵌合されて、前記便座本体の前後方向に沿って往復可能にスライド移動するスライド部と、
前記スライド部の上に連結されて、その上面に臀部が載置可能となるように人の臀部の形状に合わせた窪み形状を有した皿形状の座部と、を備え、
前記便座本体は、前後方向に伸びる右側板部と、左側板部と、前記右側板部及び前記左側板部を接続するために湾曲した前側湾曲板部と、後側湾曲板部とが一体連結することで、前記環状を構成し、
前記スライド部は、少なくとも上面視で略凸字形状の板状部材を有し、
前記便座本体の右側板部、左側板部、及び後側湾曲板部の前記開口部の内側面側には、前記スライド部の板状部材が摺動可能に嵌合する垂直断面でコの字形状となる溝部が形成されており、
前記右側板部、前記左側板部に形成された前記溝部に沿って前記スライド部の板状部材が移動することで、前記座部が前記便座本体の前後方向に沿って往復可能にスライド移動する、ことを特徴とする便座構造。
【請求項２】
前記便座本体の溝部の内側面には、その延伸方向に沿って補強材が配設される、ことを特徴とする請求項１記載の便座構造。
【請求項３】
前記スライド部は、さらに、前記板状部材上において、前記座部の底面を載置する載置台を備える、ことを特徴とする請求項１又は２に記載の便座構造。
【請求項４】
前記後側湾曲板部は、前記載置台がスライド移動するために、前記溝部から垂直方向に切り欠かれた切欠き面を有する、ことを特徴とする請求項３記載の便座構造。
【請求項５】
前記座部は、
利用者の荷重を受けるため補強材で形成された外枠部と、
当該外枠部の内側の臀部との接触面たる便座面に用いる柔らかな樹脂材と、を備える、ことを特徴とする請求項１乃至４のいずれか一項に記載の便座構造。
【請求項６】
前記外枠部は金属材であり、
前記樹脂材はウレタン樹脂又はシリコン樹脂である、ことを特徴とする請求項５記載の便座構造。
【請求項７】
前記座部の底面側には、前記スライド部のスライド移動時において、前記便座本体との間の車輪として機能する対となる車輪部が備わる、ことを特徴とする請求項１乃至６のいずれか一項に記載の便座構造。
【請求項８】
前記座部は、その背面側において、利用者が寄りかかることができるように立設された背もたれ部をさらに備える、ことを特徴とする請求項５乃至７のいずれか一項に記載の便座構造。
【請求項９】
前記請求項１乃至８のいずれか一項に記載の便座構造を備える、ことを特徴とするトイレ装置。
【請求項１０】
前記トイレ装置は、さらに、
利用者からの操作入力を受けるリモコン装置と、
前記スライド部の位置を自動変更するスライド位置変更手段と、を備えることを特徴とする請求項９記載のトイレ装置。
【請求項１１】
前記トイレ装置は、さらに、
所定以上の長さを有して微温湯を出すシャワー部を備え、
当該シャワー部からはさらに乾燥風が出るように構成される、ことを特徴とする請求項９又は１０に記載のトイレ装置。
【請求項１２】
前記トイレ装置は、さらに、
前記便座構造の利用者の尿の量を検出する尿量検出手段と、
利用者の尿の色を検出する尿色検出手段と、を備えることを特徴とする請求項９乃至１１のいずれか一項に記載のトイレ装置。
【手続補正２】
【補正対象書類名】明細書
【補正対象項目名】００２０
【補正方法】変更
【補正の内容】
【００２０】
上記課題を解決するため、本発明は、上面視で略長円形型の形状を有する便器の上面に装着される便座の構造であって、上面視で略長円形型の中央部に開口部が形成されて環状となる便座本体と、前記便座本体の前記開口部の内側面側に摺動可能に嵌合されて、前記便座本体の前後方向に沿って往復可能にスライド移動するスライド部と、前記スライド部の上に連結されて、その上面に臀部が載置可能となるように人の臀部の形状に合わせた窪み形状を有した皿形状の座部と、を備え、前記便座本体は、前後方向に伸びる右側板部と、左側板部と、前記右側板部及び前記左側板部を接続するために湾曲した前側湾曲板部と、後側湾曲板部とが一体連結することで、前記環状を構成し、前記スライド部は、少なくとも上面視で略凸字形状の板状部材を有し、前記便座本体の右側板部、左側板部、及び後側湾曲板部の前記開口部の内側面側には、前記スライド部の板状部材が摺動可能に嵌合する垂直断面でコの字形状となる溝部が形成されており、前記右側板部、前記左側板部に形成された前記溝部に沿って前記スライド部の板状部材が移動することで、前記座部が前記便座本体の前後方向に沿って往復可能にスライド移動することを特徴とする便座構造である。
【手続補正３】
【補正対象書類名】明細書
【補正対象項目名】００２１
【補正方法】削除
【補正の内容】
【手続補正４】
【補正対象書類名】明細書
【補正対象項目名】００２８
【補正方法】変更
【補正の内容】
【００２８】
この便座構造において、前記座部は、その背面側において、利用者が寄りかかることができるように立設された背もたれ部をさらに備えることが好ましい。
【手続補正５】
【補正対象書類名】明細書
【補正対象項目名】００５２
【補正方法】変更
【補正の内容】
【００５２】
便座本体３１は、手動でその位置をスライド移動する構成でも良いし、位置検出により自動でその位置をスライド移動する構成でも良い。本実施の形態では、自動で位置を検出してスライド（スライド位置変更手段）するものであり、例えば、スライド部３２の位置検出のために、モータ及びスクリューがスライド部３２に接続され、スライド部３２の移動量を各種の検出器で検出して、A/D 変換器でデジタル信号に変換し、制御装置に位置フィードバック信号として返す。この制御装置はリモコン装置６などからの信号に基づいて、駆動信号を送信することでモータ部を駆動制御させてスライド部３２の位置を正確に決めることができる。なお、スライド部３２の位置検出・位置変更はこれに限定されるものではなく、広く一般に普及している位置検出技術を利用して実現できることは言うまでもない。また、手動で移動させる場合には、座部３３にストッパのような構造を設けて、座部３３の位置をこのストッパで固定できるようにしても良い。